(57)【要約】      （修正有）【課題】内容物の箱詰めを手作業する場合に適した緩衝機能内蔵包装容器を提供する。【解決手段】外箱１０と、該外箱の内部に配置され内容物を保持する内箱２０とを有し、外箱と内箱との間に緩衝構造が形成される緩衝機能内蔵包装容器１において、緩衝構造は、内箱の側板に形成され、内箱の外側面を外箱の内側面から離間させるための複数のリブ２４ａと、内箱の側板の上端に形成され、内箱の側板の下端よりも下方に垂下する緩衝片２２とを有し、複数のリブにより外箱と内箱とが離間されて形成される間隙において、緩衝片の下端が外箱の底板２３に当接することにより緩衝片が湾曲して配置され、且つ湾曲した緩衝片の側面が外箱の内側面と当接することにより緩衝機能を付与することを特徴とする。【選択図】図１
0003175023.tif 000002
【実用新案登録請求の範囲】
【請求項１】
外箱と、前記外箱の内部に配置され内容物を保持する内箱と、を有し、前記外箱と前記内箱との間に緩衝構造が形成される緩衝機能内蔵包装容器において、
前記緩衝構造は、
前記内箱の側板に形成され、前記内箱の外側面を前記外箱の内側面から離間させるための複数のリブと、
前記内箱の側板の上端に形成され、前記内箱の側板の下端よりも下方に垂下する緩衝片と、
を有し、
複数の前記リブにより前記外箱と前記内箱とが離間されて形成される間隙において、前記緩衝片の下端が前記外箱の底板に当接することにより前記緩衝片が湾曲して配置され、且つ湾曲した前記緩衝片の側面が前記外箱の内側面と当接することにより緩衝機能を付与することを特徴とする緩衝機能内蔵包装容器。
【請求項２】
複数の前記リブは、前記内箱の各側板に均等に配置されていることを特徴とする請求項１に記載の緩衝機能内蔵包装容器。
【請求項３】
前記緩衝片の長さは前記内箱の高さよりも長く前記外箱の高さよりも短く、且つ前記緩衝片の湾曲高さは前記リブの高さよりも高いことを特徴とする請求項１又は２に記載の緩衝機能内蔵包装容器。
【考案の詳細な説明】
【技術分野】
【０００１】
本考案は、容器内部に緩衝機能を設けた緩衝機能内蔵包装容器に関するものである。
【背景技術】
【０００２】
紙製の一枚のブランク板を折り畳み、緩衝機能が付帯される包装容器を製造することが行われている（例えば、特許文献１参照）。一枚のブランク板を、折り畳むことで包装容器の内部に緩衝機能が形成されるように構成すると、ロボット等を用いて自動的に組み立てることが行いやすいというメリットがある。
【先行技術文献】
【特許文献】
【０００３】
【特許文献１】特開２０１１−０５７２５８
【考案の概要】
【考案が解決しようとする課題】
【０００４】
しかしながら、内容物を収納する際、内容物の性質によっては、完成された包装容器に収納する必要は必ずしもない場合もある。また、自動ではなく、手作業で内容物を箱詰めする際、より手作業に適した構造が必要となる場合もある。
【０００５】
本考案の目的は、内容物の箱詰めを手作業する場合に適した緩衝機能内蔵包装容器を提供することである。
【課題を解決するための手段】
【０００６】
本考案の目的を達成するための第１の構成は、外箱と、前記外箱の内部に配置され内容物を保持する内箱と、を有し、前記外箱と前記内箱との間に緩衝構造が形成される緩衝機能内蔵包装容器において、前記緩衝構造は、前記内箱の側面に形成され、前記内箱の外側面を前記外箱の内側面から離間させるための複数のリブと、前記内箱の側板の上端に形成され、前記内箱の側板の下端よりも下方に垂下する緩衝片と、を有し、複数の前記リブにより前記外箱と前記内箱とが離間されて形成される間隙において、前記緩衝片の下端が前記外箱の底面に当接することにより前記緩衝片が湾曲して配置され、且つ湾曲した前記緩衝片の側面が前記外箱の内側面と当接することにより緩衝機能を付与することを特徴とする緩衝機能内蔵包装容器である。
【０００７】
第２の構成は、複数の前記リブは、前記内箱の各側面に均等に配置されていることを特徴とする第１の構成に記載の緩衝機能内蔵包装容器である。
【０００８】
第３の構成は、前記緩衝片の長さは前記内箱の高さよりも長く前記外箱の高さよりも短く、且つ前記緩衝片の湾曲高さは前記リブの高さよりも高いことを特徴とする第１又は２に記載の緩衝機能内蔵包装容器である。
【考案の効果】
【０００９】
第１の構成では、外箱と内箱が別体となっている。すると、緩衝構造が形成された内箱に内容物を詰め、内容物が収納された内箱を外箱に入れることで、内容物の重量を利用して内箱を外箱の中に挿入することができる。ここで、緩衝構造は、リブ及び垂下する緩衝片のみという簡易な構造によって形成されるため、内箱を外箱の中に挿入する作業を妨げるものではない。このため、内箱を外箱に挿入する作業を容易にし、内容物の箱詰めを手作業する場合に適した緩衝機能内蔵包装容器となる。
【００１０】
第２の構成では、リブが内箱の各側面に均等に配置されている。これにより、内箱を外箱から均等に離間させることができ、側面方向にかかる衝撃を緩和することができる。
【００１１】
第３の構成では、緩衝片の長さが内箱の高さよりも長く外箱の高さよりも短く形成される。当該長さで緩衝片を構成すると、緩衝片の下端が外箱の底面に当接すると、内箱を外箱の内部に収納しつつ、内箱が外箱の底部から離間した状態で保持することができる。すると、上下方向の緩衝作用を付与することができる。また、緩衝片の湾曲高さがリブの高さよりも高くなることにより、緩衝作用をより高めることができる。
【図面の簡単な説明】
【００１２】
【図１】緩衝機能内蔵包装容器の全体構成を示す図。
【図２】外箱の展開図。
【図３】内箱の展開図。
【図４】外箱の組立手順の説明図。
【図５】内箱の組立手順の説明図。
【図６】内容物を含む緩衝機能内蔵包装容器の組立手順の説明図。
【図７】緩衝機能内蔵包装容器の緩衝作用の説明図。
【考案を実施するための形態】
【００１３】
図を用いて本考案の実施形態を説明する。
【００１４】
〔緩衝機能内蔵包装容器１の構造〕
図１は緩衝機能内蔵包装容器の全体構成を示す図であり、（ａ）が斜視図、（ｂ）が断面図である。
【００１５】
図１に示すように、緩衝機能内蔵包装容器１は、外箱１０及び内箱２０から構成される。図１（ｂ）に示すように、外箱１０の内部には、内箱２０が内容物Ａを保持した状態で格納される。
【００１６】
図２を用いて、外箱１０の構造を説明する。図２は外箱の展開図であり、（ａ）が外側からみた展開図、（ｂ）が内側からみた展開図である。
【００１７】
図２に示すように、緩衝機能内蔵包装容器１の外箱１０は、上面で開閉する蓋板１１を有し、蓋板１１には複数の側板１２を緩衝機能内蔵包装容器１の周方向に折曲可能な断面多角形状の構成である。
【００１８】
尚、本実施形態においては、断面多角形として断面四角形、特に断面が正方形になるような構造を例示する。後述の内箱２０の側板の断面も正方形で構成することで、挿入の際に外箱１０と内箱２０のいずれの側面を合わせても、内箱２０を外箱１０に挿入することができ、より容易に挿入作業を行うことができる。
【００１９】
側板１２の全てには蓋板１１と対向する方向に、底板１３が連結される。底板１３は、互いに組み合う形状である。蓋板１１の端部には差込片１１ａが連結されており、蓋板１１が接続された側板１２の両側に配置される側板１２には、それぞれフラップ片１４が連結される。
【００２０】
また、複数の側板１２のうち一の側板１２の側方には側部固定片１５が設けられ、底板１３には折曲辺ａを挟んで底部固定片１６が設けられる。それぞれの固定片には接着剤Ｇが配設される。また、複数の側板１２のうち、上部に片が付帯しない側板１２の上部には、切断辺Ｂを介して切断部１２ａが形成される。切断部１２ａがあることで、組立時に切断部１２ａと当接する差込片１１ａが取出しやすくなる。
【００２１】
図３を用いて、内箱２０の構造を説明する。図３は内箱の展開図であり、（ａ）が外側からみた展開図、（ｂ）が内側からみた展開図である。
【００２２】
図３に示すように、緩衝機能内蔵包装容器１の内箱２０は、外箱１０の側板１２と対応する数の側板２１を有する。本実施形態では側板２１は４つである。
【００２３】
全ての側板２１の上端には、緩衝片２２が連結する。また、側板２１を挟んで緩衝片２２と対向する方向には底板２３が連結される。
【００２４】
隣接する側板２１の間は、矩形状に一部が切欠かれたリブ形成辺２４となる。リブ形成辺２４は、後述するように、当該辺を折り曲げたときに凸状のリブ２４ａが現れる。図３に示すように、ブランク板において、側部固定片２５と対向する辺には、リブ２４ａの一つと係合するように係合溝２４ｂが形成される。
【００２５】
また、複数の側板２１のうち一の側板２１の側方には側部固定片２５が設けられ、底板２３には折曲辺ｂを挟んで底部固定片２６が設けられる。それぞれの固定片には接着剤Ｇが配設される。
【００２６】
〔緩衝機能内蔵包装容器１の組立手順〕
緩衝機能内蔵包装容器１の組立てにおいては、まず、外箱１０と内箱２０とを別体として組立て、最後に内容物Ａと一緒に内箱２０を外箱１０に挿入する。これにより、緩衝機能内蔵包装容器１を完成させる。次に具体的に説明する。
【００２７】
まず、図４を用いて、外箱１０の組立手順を説明する。図４は外箱の組立手順の説明図であり、（ａ）がブランク板の状態、（ｂ）が側板２１を組み立てる工程、（ｃ）が完成状態、をそれぞれ示す。
【００２８】
まず、図４（ａ）のブランク板の状態において、側板１２の隣接辺をそれぞれ折る（図４（ｂ）参照）。そして、側部固定片１５に配設された接着剤Ｇを側板１２の内面に対して接着し固定する。これにより、側板１２が外箱１０の側面となる。
【００２９】
また、底板１３を前記側面の内側方向に折曲げ、底部固定片１６に配設された接着剤Ｇを底板１３に対して接着し固定する。これにより、底板１３が外箱１０の底部となる。
【００３０】
側部と底部が完成した外箱１０は、蓋板１１やフラップ片１４を開放したままで載置する（図４（ｃ）参照）。
【００３１】
次に、図５を用いて、内箱２０の組立手順を説明する。図５は内箱の組立手順の説明図であり、（ａ）がブランク板の状態、（ｂ）が側板２１を組み立てる工程、（ｃ）が緩衝片２２を垂下する工程、（ｄ）が完成状態、をそれぞれ示す。
【００３２】
まず、図５（ａ）のブランク板の状態において、側板２１の隣接辺となるリブ形成辺２４をそれぞれ折る（図５（ｂ）参照）。すると、リブ形成辺２４の形状に沿って、凸状のリブ２４ａが突出することになる。そして、側部固定片２５が連結する側板２１から突出した中央のリブ２４ａと、他端の側板２１に形成された係合溝２４ｂとが係合する。そして側部固定片２５に配設された接着剤Ｇを側板２１に対して接着し、固定する。これにより側板２１が内箱２０の側部になる。
【００３３】
本実施形態においては、垂直方向に３つのリブ２４ａが形成され、上部のリブ２４ａと下部のリブ２４ａは同方向に突出し、中央のリブ２４ａはそれらと９０度異なる方向に突出する。ここで、全てのリブ形成辺２４は同じ形状であるため、側板２１の隣接辺には、同じ数で同じ形状のリブ２４ａが形成される。即ち、４箇所のリブ２４ａは、内箱２０の各側板２１に均等に配置されることとなる（図５（ｃ）参照）。
【００３４】
次に、図５（ｃ）において矢印で示すように、緩衝片２２を側板２１との間の辺にて外側方向に折曲げ、垂下させる。ここで、緩衝片２２の上下方向の長さは内箱２０の高さよりも長く、外箱１０の高さよりも短く構成される。このため、緩衝片２２の下端は、内箱２０の底部よりも下方に位置することになる（図５（ｄ）参照）。このように、緩衝片２２を垂下させた状態で、内箱２０は完成となる。
【００３５】
図６を用いて、緩衝機能内蔵包装容器１の完成及び内容物Ａを収納する過程について説明する。図６は内容物を含む緩衝機能内蔵包装容器の組立手順の説明図であり、（ａ）は内容物Ａを内箱２０に収納する工程、（ｂ）は内箱２０を外箱１０に挿入する工程、（ｃ）は内箱２０が外箱１０内に挿入された状態、を示す。
【００３６】
図６（ａ）に示すように、緩衝機能内蔵包装容器１を組立てるにあたり、まず、内容物Ａを内箱２０の上部から入れる。そして、図６（ｂ）に示すように緩衝片２２を畳んだ状態で、内容物Ａを収納した内箱２０を外箱１０に挿入する。すると、内容物Ａの重量によって内箱２０を押込み、それに伴って緩衝片２２の上部が撓む。撓んで湾曲した緩衝片２２は、外箱１０と内箱２０との間にて外箱１０を内面側から押し、緩衝機能を付与することになる。
【００３７】
この緩衝構造について、図７の断面図を用いて説明する。図７は緩衝機能内蔵包装容器の緩衝作用の説明図であり、（ａ）が内容物Ａの重量が内箱２０にかかる前の状態、（ｂ）が内容物Ａの重量が内箱２０にかかった後の状態、を示す。
【００３８】
図７（ａ）に示すように、内箱２０を外箱１０の内部に挿入する際、内容物Ａの重量が内箱２０にかからない状態においては、緩衝片２２の下端部が外箱１０の底板１３の内部に当接しても、緩衝片２２は平面の状態を保ちつつ垂下するのみである。尚、この状態において、内箱２０の側面の各辺に均等に形成される複数のリブ２４ａによって、内箱２０の外側面は、外箱１０の内側面から均等に離間させられる。
【００３９】
図７（ｂ）に示すように、内容物Ａが内箱２０内部に収納され、内容物Ａの重要が内箱２０にかかると、内容物Ａが底板２３に当接して内箱２０を押し下げる。すると、内箱２０の緩衝片２２も同時に押し下げられ、特に側板２１の上部に連結している緩衝片２２が湾曲する。ここでできた緩衝片２２の湾曲部Ｗが外箱１０の内側面に当接する。ここで、緩衝片２２が湾曲したときの湾曲高さｈ１は、リブ２４ａの高さｈ２よりも高い。このように構成されているため、湾曲した緩衝片２２によって外箱１０と内箱２０との間隙が埋まることとなり、緩衝機能が付与されることになる。
【００４０】
以上のように、本実施形態では、外箱と内箱が別体となっている。すると、緩衝構造が形成された内箱２０に内容物Ａを詰め、内容物Ａが収納された内箱２０を外箱１０に入れることで、内容物Ａの重量を利用して内箱２０を外箱１０の中に挿入することができる。ここで、緩衝構造は、リブ２４ａ及び垂下する緩衝片２２のみという簡易な構造によって形成されるため、内箱２０を外箱１０の中に挿入する作業を妨げるものではない。このため、内箱２０を外箱１０に挿入する作業を容易にし、内容物Ａの箱詰めを手作業する場合に適した緩衝機能内蔵包装容器１となる。
【００４１】
また、リブ２４ａが内箱２０の各側面に均等に配置されている。これにより、内箱２０を外箱１０から均等に離間させることができ、側面方向にかかる衝撃を緩和することができる。
【００４２】
更に、緩衝片２２の長さが内箱２０の高さよりも長く外箱１０の高さよりも短く形成される。当該長さで緩衝片を構成すると、緩衝片２２の下端が外箱１０の底面に当接すると、内箱２０を外箱１０の内部に収納しつつ、内箱２０が外箱１０の底部から離間した状態で保持することができる。すると、上下方向の緩衝作用を付与することができる。また、緩衝片２２の湾曲高さｈ１がリブ２４ａの高さｈ２よりも高くなることにより、緩衝作用をより高めることができる。
【産業上の利用可能性】
【００４３】
本考案は、容器内部に緩衝機能を設けた緩衝機能内蔵包装容器に対して実施することができる。
【符号の説明】
【００４４】
Ａ…内容物
Ｂ…切断辺
Ｇ…接着剤
Ｗ…湾曲部
ａ…折曲辺
ｂ…折曲辺
１…緩衝機能内蔵包装容器
１０…外箱
１１…蓋板
１１ａ…差込片
１２…側板
１２ａ…切断部
１３…底板
１４…フラップ片
１５…側部固定片
１６…底部固定片
２０…内箱
２１…側板
２２…緩衝片
２３…底板
２４…リブ形成辺
２４ａ…リブ
２４ｂ…係合溝
２５…側部固定片
２６…底部固定片
【図１】
0003175023.tif 000003
【図２】
0003175023.tif 000004
【図３】
0003175023.tif 000005
【図４】
0003175023.tif 000006
【図５】
0003175023.tif 000007
【図６】
0003175023.tif 000008
【図７】
0003175023.tif 000009